(57)【要約】液体、好ましくは比較的粘度の高い液体に用いる搾りディスペンサーは、流出口２を有する柔軟な容器１と、流出口上に配置されたシール装置３とを備えている。液体は、流出口を経由して容器から押し出され得る。シール装置内には、第１バルブ１２と第２バルブ１８が設けられている。容器が搾られたとき、第１バルブを経由して液体を容器から押し出すことができ、容器がもはや搾られてないとき、第２バルブから容器内へ空気を入れる。
2004514615.tif 000002
【特許請求の範囲】
【請求項１】
液体、好ましくは比較的粘度の高い液体に用いる搾りディスペンサーにおいて、
流出口を有し、その流出口を経由して容器から液体が押し出される柔軟な容器と、流出口を覆うように配置されたシール装置とを備え、
シール装置内に、容器が搾られたとき経由して容器から液体が押し出される第１バルブと、容器がもはや搾られてないときに容器に空気を入れるための第２バルブとが設けられたことを特徴とする搾りディスペンサー。
【請求項２】
第１バルブは、容器からの液体の流出方向に対して垂直なシール装置の表面において動作し、
第２バルブはシール装置の側面において動作することを特徴とする請求項１記載の搾りディスペンサー。
【請求項３】
第２バルブが動作する面は、第１バルブが動作する面と実質上垂直であることを特徴とする請求項２記載の搾りディスペンサー。
【請求項４】
容器は一端が第１バルブに通ずる立上り管を有することを特徴とする請求項１乃至３のいずれか記載の搾りディスペンサー。
【請求項５】
立上り管を閉め切ることができるボールが、第１バルブに隣接して配置された立上り管の先端に設けられたことを特徴とする請求項４記載の搾りディスペンサー。
【請求項６】
シール装置は、容器上に固定され得る第１密閉部品と、第１密閉部品を覆うように固定され得る第２密閉部品とを備え、
第２密閉部品は、第１密閉部品とともに第１バルブを形成する柔軟部分を少なくとも部分的に有することを特徴とする請求項１乃至５のいずれか記載の搾りディスペンサー。
【請求項７】
少なくとも立上り管の上側部分は第１密閉部品の一部を形成し、
立上り管の先端は、前記柔軟部分に対向して配置されることを特徴とする請求項６記載の搾りディスペンサー。
【請求項８】
第２バルブは２つの密閉部品の間で動作するリップによって形成されていることを特徴とする請求項６および７のいずれか記載の搾りディスペンサー。
【請求項９】
第１密閉部品は第２バルブを通過してきた空気が経由して容器に流れ込むことができる少なくとも１つの孔を有することを特徴とする請求項８記載の搾りディスペンサー。
【請求項１０】
第１密閉部品と第２密閉部品との間の空間であって、第２バルブを通過してきた空気がその空間を経由して第１密閉部品の前記孔に流れ込むことができる空間に、液体が流れ込むのを防止するため、シーリングリップが設けられたことを特徴とする請求項６乃至９のいずれか記載の搾りディスペンサー。
【請求項１１】
容器と２つの密閉部品とはプラスチックから射出成型によって製造され、
第２密閉部品のプラスチック材料は、容器および第１密閉部品のプラスチック材料よりも軟らかいことを特徴とする請求項６乃至１０のいずれか記載の搾りディスペンサー。
【発明の詳細な説明】
【０００１】
【発明の属する技術分野】
この発明は、液体、好ましくは比較的粘度の高い液体に用いる搾りディスペンサーであって、流出口を有し、その流出口を経由して容器から液体が押し出される柔軟な容器と、流出口を覆うように配置されたシール装置とを備えた搾りディスペンサーに関する。
【０００２】
【従来の技術】
このようなディスペンサーは公知であり、流出口を下方に向けた状態にして容器を保持しながら、容器を搾って変形させることによって、多くの場合比較的粘度の高い液体を容器から押し出し、そしてその後、空気をディスペンサー内に入れ変形を元に戻すようにして用いられている。
【０００３】
【発明が解決しようとする課題】
公知ディスペンサーの不都合点は、流出口を下方に向けた状態にして容器を保持したままディスペンサーの搾りを終えた場合、液体の流出は止まるが、液体の圧力によってディスペンサー内に空気がゆっくりとしか入っていけないことにあり、その結果、容器の変形はゆっくりとしか元に戻らず、したがって液体を搾り出すために次の容器の搾りが実行できるまで、より長く待たなければならない。この不都合点は、液体の粘度が増すにつれて、より大きくなる。
【０００４】
【課題を解決するための手段】
この不都合に対処するため、本発明による搾りディスペンサーは、シール装置内に、容器が搾られたとき経由して容器から液体が押し出される第１バルブと、容器がもはや搾られてないときに容器に空気を入れるための第２バルブとが設けられたことによって特徴付けられる。構造上の理由から、第２バルブを常に第１バルブに直接隣接させて配置することができない。それ故に、同様に本発明によれば、第１バルブは、容器からの液体の流出方向に対して垂直なシール装置の表面において動作し、第２バルブはシール装置の側面において動作してもよい。特に、第２バルブが動作する面は、第１バルブが動作する面と実質上垂直としてもよい。
容器は一端が第１バルブに通ずる立上り管を有する場合、特に好ましい。容器を搾るのをやめ、第１バルブが閉まった時、液体は立上り管に残ったままである。したがって、次に容器を搾るとき、液体は直ちに分与され得る。搾り動作を終えた後、第１バルブの動作が遅いため、相変わらず空気が立上り管の最上部に存在し、そのため立上り管が完全に充満されたままとならないことに備えて、立上り管を閉め切ることができるボールを第１バルブに隣接した立上り管の先端に設けてもよい。
【０００５】
より具体的な実施の形態においては、シール装置は、容器に固定され得る第１密閉部品と、第１密閉部品を覆うように固定され得る第２密閉部品とを備え、第２密閉部品は、第１密閉部品とともに第１バルブを形成する柔軟部分を少なくとも部分的に有する。その場合、少なくとも立上り管の上側部分は第１密閉部品の一部を形成し、立上り管の先端は、前記柔軟部分に対向して配置されると好ましい。第２バルブは２つの密閉部品の間で動作するリップによって形成されてもよい。その場合、第１密閉部品は第２バルブを通過してきた空気が経由して容器に流れ込むことができる少なくとも１つの孔を有してもよい。
【０００６】
第１密閉部品と第２密閉部品との間の空間であって、第２バルブを通過してきた空気がその空間を経由して第１密閉部品の上述した孔に流れ込むことができる空間に、液体が流れ込むのを防止するため、２つの密閉部品の間にシーリングリップがあれば望ましい。
【０００７】
原価的に好ましい製造を鑑み、第２密閉部品のプラスチック材料は、容器および第１密閉部品のプラスチック材料よりも軟らかいが、容器と２つの密閉部品とはプラスチックから射出成型によって製造されてもよい。
【０００８】
本発明は、まもなく添付した図面に表された模範的な実施の形態を参照して、さらに明らかになるだろう。
【０００９】
【発明の実施の形態】
図に示されたボトルディスペンサーは、流出口２を有する柔軟な液体容器１とこの流出口上に配置されたシール装置３とを備えている。シール装置３は、容器１上に固定され得る第１密閉部品４と、第１密閉部品を覆うように固定され得る第２密閉部品５とからなる。容器１と２つの密閉部品４および５はプラスチックから射出成型によって製造され、第２密閉部品５のプラスチック材料は、容器１と第１密閉部品４のプラスチック材料よりも軟らかい。第１密閉部品４は２つの孔６を設けられ、空気は孔を経由して容器内に流れ込むことができる。容器１内には、立上り管７があり、ディスペンサーの中心を貫いて延在し、その立上り管の上側部分８は第１密閉部品４の一部を形成する。立上り管の下側でより広範な部分９を、それの上側部分８に挿入してもよい。立上り管７の上側部分８内に、くびれ１０が設けられており、その上にボール１１が配置されている。
【００１０】
ボトルディスペンサーは、立上り管７の上側部分８の上側角１３と第２密閉部品５の中心面１４とによって形成された第１バルブ１２を設けられている。第１バルブ１２は、ディスペンサーの中心軸に対して垂直な面で動作する。容器１を搾ることにより、このバルブ１２の補助をともない、立上り管７を経由し、ボール１１に沿ってくぼみ１０を通過して容器１から液体は押し出され得る。そしてそれによって押し上げられ、角１３と上述した中心面１４との間を通過して、第１密閉部品４を超えて環状の空間１５に押され、そしてそこから第２密閉部品の流出口１６に押し出される。普段、第１密閉部品上の突起物１７によって、これらの流出口１６は閉め切られているが、押し出される液体の圧力下においては開いている。流出口は、第１バルブ１２に対して横に配置されている。
【００１１】
ボトルディスペンサーは、さらに、第２密閉部品５の一部分をなすリップ１９によって形成された第２バルブ１８を設けられ、リップは２つのシーリング部品４と５の間で動作する。この第２バルブ１８はシール装置３の側面において、さらに具体的には、第１バルブ１２の動作する面と実質上垂直な面において動作する。容器の搾りが元に戻るとき、この第２バルブ１８と孔６とを経由して、空気は容器１内へ吸い込まれ得る。第１密閉部品と第２密閉部品との周囲横方向に、環状ケース２０が設けられている。容器１と第１密閉部品４との間の外側閉切部２１、第１密閉部品４と第２密閉部品５との間の外側閉切部２２および環状ケース２０と第２密閉部品５との間の閉切部２３は、それらを通過し空間２４を経由して、空気が第２バルブ１８へ吸い込まれ得るようになっている。
【００１２】
その上、第１密閉部品と第２密閉部品との間の空間２６に液体が流れ込むのを防ぐため、第２密閉部品の一部分をなす、その先のリップ２５がある。さらに、容器１を２つの密閉部品４と５とともに、取外自在のカバー２７によって蓋をすることができる。
【００１３】
既に述べたように、容器１を搾ったとき、立上り管７と第１バルブ１２を経由して液体が押し出される。一方、搾りを終えたとき、バルブ１２は自力で閉まり、ボール１１はくびれ１０上に落下し、第２バルブ１８と孔６を経由して空気が容器内へ吸い込まれる。そのため、立上り管に液体が残り、その結果、その後に容器を搾るとき、速やかに液体は押し出され得る。もし第１バルブが速やかに閉まれば、このバルブを経由して立上り管の先端にほとんど空気は入り込まないだろう。そして、ボール１１は不必要である。しかしながら、バルブ１２が閉まる速度は第２密閉部品、特に中央面１４の材料に大いに依存する。
【００１４】
本発明は、図面を参照してここに記載された実施に形態に限られるものではなく、もちろん、請求の範囲の保護範囲に入る限りにおいて、それに対するすべての種類の修正を含む。
【図面の簡単な説明】
【図１】
図１は、本発明によるディスペンサーの斜視を示す。
【図２】
図２は、図１のＡ−Ａ面に沿った断面を示す。
【図３】
図３は、図１のＢ−Ｂ面に沿った断面を示す。
【国際公開パンフレット】
2004514615.tif 000003
2004514615.tif 000004
2004514615.tif 000005
2004514615.tif 000006
2004514615.tif 000007
2004514615.tif 000008
2004514615.tif 000009
2004514615.tif 000010
2004514615.tif 000011
2004514615.tif 000012
2004514615.tif 000013
【手続補正書】
【提出日】平成14年11月6日(2002.11.6)
【手続補正１】
【補正対象書類名】明細書
【補正対象項目名】特許請求の範囲
【補正方法】変更
【補正の内容】
【特許請求の範囲】
【請求項１】
液体、好ましくは比較的粘度の高い液体に用いる搾りディスペンサーにおいて、
流出口を有し、その流出口を経由して容器から液体が押し出される柔軟な容器と、流出口を覆うように配置されたシール装置とを備え、
シール装置内に、容器が搾られたとき経由して容器から液体が押し出される第１バルブと、容器がもはや搾られてないときに容器に空気を入れるための第２バルブとが設けられ、
容器は一端が第１バルブに通ずる立上り管と、第１バルブに隣接して配置された立上り管の先端に設けられ、立上り管を閉め切ることができるボールとを有することを特徴とする搾りディスペンサー。
【請求項２】
第１バルブは、容器からの液体の流出方向に対して垂直なシール装置の表面において動作し、
第２バルブはシール装置の側面において動作することを特徴とする請求項１記載の搾りディスペンサー。
【請求項３】
第２バルブが動作する面は、第１バルブが動作する面と実質上垂直であることを特徴とする請求項２記載の搾りディスペンサー。
【請求項４】
シール装置は、容器上に固定され得る第１密閉部品と、第１密閉部品を覆うように固定され得る第２密閉部品とを備え、
第２密閉部品は、第１密閉部品とともに第１バルブを形成する柔軟部分を少なくとも部分的に有することを特徴とする請求項１乃至３のいずれか記載の搾りディスペンサー。
【請求項５】
少なくとも立上り管の上側部分は第１密閉部品の一部を形成し、
立上り管の先端は、前記柔軟部分に対向して配置されることを特徴とする請求項４記載の搾りディスペンサー。
【請求項６】
第２バルブは２つの密閉部品の間で動作するリップによって形成されていることを特徴とする請求項４および５のいずれか記載の搾りディスペンサー。
【請求項７】
第１密閉部品は第２バルブを通過してきた空気が経由して容器に流れ込むことができる少なくとも１つの孔を有することを特徴とする請求項６記載の搾りディスペンサー。
【請求項８】
第１密閉部品と第２密閉部品との間の空間であって、第２バルブを通過してきた空気がその空間を経由して第１密閉部品の前記孔に流れ込むことができる空間に、液体が流れ込むのを防止するため、シーリングリップが設けられたことを特徴とする請求項４乃至７のいずれか記載の搾りディスペンサー。
【請求項９】
容器と２つの密閉部品とはプラスチックから射出成型によって製造され、
第２密閉部品のプラスチック材料は、容器および第１密閉部品のプラスチック材料よりも軟らかいことを特徴とする請求項４乃至８のいずれか記載の搾りディスペンサー。
【手続補正２】
【補正対象書類名】明細書
【補正対象項目名】０００１
【補正方法】変更
【補正の内容】
【０００１】
【発明の属する技術分野】
この発明は、液体、好ましくは比較的粘度の高い液体に用いる搾りディスペンサーであって、流出口を有し、その流出口を経由して容器から液体が押し出される柔軟な容器と、流出口を覆うように配置されたシール装置とを備え、シール装置内に、容器が搾られたとき経由して容器から液体が押し出される第１バルブと、容器がもはや搾られてないときに容器に空気を入れるための第２バルブとが設けられた搾りディスペンサーに関する。


【手続補正３】
【補正対象書類名】明細書
【補正対象項目名】０００２
【補正方法】変更
【補正の内容】
【０００２】
【従来の技術】
このようなディスペンサーはＧＢ−Ａ−２ １９８ ４１８によって公知である。そして、流出口を下方に向けた状態にして容器を保持しながら、容器を搾って変形させることによって容器から液体を押し出し、そしてその後、空気をディスペンサー内に入れ変形を元に戻すようにして用いられている。


【手続補正４】
【補正対象書類名】明細書
【補正対象項目名】０００４
【補正方法】変更
【補正の内容】
【０００４】
【課題を解決するための手段】
本発明の対象は、上述した問題点のない、粘度の高い液体に用いる搾りディスペンサーである。前置きした搾りディスペンサーは、本発明によると、容器は一端が第１バルブに通ずる立上り管と、第１バルブに隣接して配置された立上り管の先端に設けられ、立上り管を閉め切ることができるボールとを有することによって特徴付けられる。
本発明によるディスペンサーによれば、立上り管の存在によって、ディスペンサーは立てた状態で搾られる。容器を搾るのをやめ、第１バルブが閉まった時、液体は立上り管に残ったままである。したがって、次に容器を搾るとき、液体は直ちに分与され得る。搾り動作を終えた後、第１バルブの動作が遅いため、相変わらず空気が立上り管の最上部に存在し、そのため立上り管が完全に充満されたままとならないことに備えて、立上り管を閉め切ることができる前記ボールが第１バルブに隣接した立上り管の先端に設けられている。この結果、立上り管は十分完全に液体によって充満されているので、再度容器を搾ったとき、液体が直ちに分与される。
構造上の理由から、第２バルブを常に第１バルブに直接隣接させて配置することができない。それ故に、同様に本発明によれば、第１バルブは、容器からの液体の流出方向に対して垂直なシール装置の表面において動作し、第２バルブはシール装置の側面において動作してもよい。特に、第２バルブが動作する面は、第１バルブが動作する面と実質上垂直としてもよい。


【手続補正５】
【補正対象書類名】明細書
【補正対象項目名】０００８
【補正方法】変更
【補正の内容】
【０００８】
ＤＥ−Ｕ−７６ ０４ １４３が、立上り管と立上り管を閉め切るボールとを備えたディスペンサーを開示していることは注意すべきである。
本発明は、まもなく添付した図面に表された模範的な実施の形態を参照して、さらに明らかになるだろう。




【国際調査報告】
2004514615.tif 000014
2004514615.tif 000015
2004514615.tif 000016